(57)【要約】【課題】２次元映像表示領域内に少なくとも１つの３次元映像を表示する方法及び装置を提供する。【解決手段】２次元入力映像データ及び前記２次元入力映像データに関連する入力奥行きデータを有する入力データに基づいて、第１の視点で表示パネル上で２次元映像表示領域内に位置した少なくとも１つの部分３次元映像領域内の３次元映像のオートステレオスコピック表示を行う方法であって、前記入力奥行きデータのデータ値に基づいて、前記第１の視点とは異なる複数の与えられた視点の中のそれぞれの与えられた視点で前記少なくとも１つの部分３次元映像領域の境界で各３次元シフト映像領域を前記２次元映像表示領域と識別することを特徴とするオートステレオスコピック表示方法。【選択図】図２
2012161067.tif 000002
【特許請求の範囲】
【請求項１】
２次元入力映像データ及び前記２次元入力映像データに関連する入力奥行きデータを有する入力データに基づいて、第１の視点で表示パネル上で２次元映像表示領域内に位置した少なくとも１つの部分３次元映像領域内の３次元映像のオートステレオスコピック表示を行う方法であって、
前記入力奥行きデータのデータ値に基づいて、前記第１の視点とは異なる複数の与えられた視点の中のそれぞれの与えられた視点で前記少なくとも１つの部分３次元映像領域の境界で各３次元シフト映像領域を前記２次元映像表示領域と識別することを特徴とするオートステレオスコピック表示方法。
【請求項２】
前記各３次元シフト映像領域は、基準値とは異なる奥行きデータ値で表現され、前記基準値は、前記２次元入力映像を示す前記奥行きデータ値であることを特徴とする請求項１に記載のオートステレオスコピック表示方法。
【請求項３】
前記入力データは、前記２次元入力映像データに対応する背景入力データをさらに有し、前記与えられた視点に対する前記３次元シフト映像領域の合計に対応する３次元合計領域の外側の２次元領域で残りの２次元映像を生成することを特徴とする請求項２に記載のオートステレオスコピック表示方法。
【請求項４】
前記３次元合計領域内の画素に階調値を割り当てることを特徴とする請求項３に記載のオートステレオスコピック表示方法。
【請求項５】
前記少なくとも１つの部分３次元映像領域に対応する前記入力奥行きデータに基づいて前記各３次元シフト映像領域内の３次元映像を生成するすることを特徴とする請求項４に記載のオートステレオスコピック表示方法。
【請求項６】
前記各３次元シフト映像領域の外側の前記２次元映像領域内の画素に階調値を割り当てることを特徴とする請求項５に記載のオートステレオスコピック表示方法。
【請求項７】
２次元入力映像データ及び前記２次元入力映像データに関連する入力奥行きデータを有する入力データに基づいて、第１の視点で表示パネル上で２次元映像表示領域内に位置した少なくとも１つの部分３次元映像領域内の３次元映像のオートステレオスコピック表示を行う装置であって、
前記入力奥行きデータのデータ値に基づいて、前記第１の視点とは異なる複数の与えられた視点の中のそれぞれの与えられた視点で前記少なくとも１つの部分３次元映像領域の境界で各３次元シフト映像領域を前記２次元映像表示領域と識別するように構成された３次元領域識別回路を有することを特徴とするオートステレオスコピック表示装置。
【請求項８】
２次元入力映像データ及び前記２次元入力映像データに関連する入力奥行きデータを有する入力データに基づいて、第１の視点で２次元映像表示領域内に位置した少なくとも１つの部分３次元映像領域内の３次元映像を識別する方法であって、
前記第１の視点とは異なる与えられた視点で、前記少なくとも１つの部分３次元映像領域の境界で前記２次元入力映像データと関連する前記入力奥行きデータを基準データと比較することにより３次元シフト映像領域を前記２次元映像表示領域と識別することを特徴とする方法。
【請求項９】
前記基準データは、前記２次元映像表示領域内の２次元映像を示す奥行きデータであることを特徴とする請求項８に記載の方法。
【請求項１０】
２次元入力映像データ及び前記２次元入力データに関連する入力奥行きデータを有する入力データに基づいて、第１の視点で２次元映像表示領域内に位置した少なくとも１つの部分３次元映像領域内の３次元映像を識別する装置であって、
前記第１の視点とは異なる与えられた視点で前記少なくとも１つの部分３次元映像領域の境界で前記２次元入力映像データと関連する前記入力奥行きデータを基準データと比較することにより３次元シフト映像領域を前記２次元映像表示領域と識別するように構成された３次元映像識別回路を有することを特徴とする装置。
【請求項１１】
前記基準データは、前記２次元映像表示領域内の２次元映像を示す奥行きデータであることを特徴とする請求項１０に記載の装置。
【請求項１２】
映像フレームの第１の期間の間に第１の解像度でインターウィービングされた第１の映像を表示し、
前記映像フレームの第２の期間の間に前記第１の解像度とは異なる第２の解像度でインターウィービングされた第２の映像を表示することを特徴とする３次元映像を表示する方法。
【請求項１３】
前記第１の解像度は、前記第２の解像度より高く、前記第１の映像は、２次元映像であり、前記第２の映像は、３次元映像であることを特徴とする請求項１２に記載の方法。
【請求項１４】
映像フレームの第１の期間の間に第１の映像を表示し、
前記映像フレームの第２の期間の間に第２の映像を表示し、
前記映像フレームの第３の期間の間に第３の映像を表示し、
前記第１の映像及び前記第２の映像は２次元映像であり、前記第３の映像は３次元映像であることを特徴とする３次元映像を表示する方法。
【請求項１５】
前記第２の映像を変えるためのレンチキュラー素子を用いず前記第２の映像を表示する光を照射し、
前記第３の映像を変える前記レンチキュラー素子を用いて前記第３の映像を表示する光を照射することを特徴とする請求項１４に記載の方法。
【請求項１６】
前記第３の映像を表示するために照射される光は、前記第２の映像を表示するために照射される光よりさらに明るいことを特徴とする請求項１５に記載の方法。
【請求項１７】
前記第１の映像は、前記第１の映像を表示するための光を照射せず、かつ、前記第１の映像を変えるための前記レンチキュラー素子を用いず表示されることを特徴とする請求項１６に記載の方法。
【請求項１８】
少なくとも３個の動作モードを用いて表示装置に映像を表示する方法であって、
第１の動作モードで、２次元映像レンダリング工程を用いて第１のフレームの間に第１の２次元映像を表示し、
第２の動作モードで、３次元映像レンダリング工程を用いて第２のフレームの間に第１の３次元映像を表示し、
第３の動作モードで、第３のフレームの第１の期間の間に２次元映像を表示し、前記第３のフレームの第２の期間の間に３次元映像を表示することを特徴とする方法。
【請求項１９】
前記第３の動作モードで、前記２次元映像は第１の解像度で表示され、前記３次元映像は第２の解像度で表示され、前記第１の解像度は前記第２の解像度より高いことを特徴とする請求項１８に記載の方法。
【請求項２０】
画素を有する表示パネル上に３次元映像を表示する方法であって、
２次元映像入力データに従って前記２次元映像を表示する第１の画素を用い、かつ、第２の画素を同一の階調値で設定して、映像フレームの第１の期間の間に２次元映像を表示し、
３次元映像入力データに従って前記３次元映像を表示する前記第２の画素を用い、かつ、前記第１の画素を同一の階調値で設定して、前記映像フレームの第２の期間の間に前記３次元映像を表示することを特徴とする方法。
【請求項２１】
前記映像フレームの前記第１の期間において、前記第２の画素は第１の黒色映像を表示するように設定され、前記映像フレームの第２の期間において、前記第１の画素は第２の黒色映像を表示するように設定されることを特徴とする請求項２０に記載の方法。
【請求項２２】
前記第１の画素及び前記第２の画素を用いて前記映像フレームの第３の期間の間に第１の黒色映像を表示することを特徴とする請求項２０に記載の方法。
【請求項２３】
前記第１の画素及び前記第２の画素を用いて前記映像フレームの第４の期間の間に第２の黒色映像を表示することを特徴とする請求項２２に記載の方法。
【請求項２４】
前記映像フレームは、前記第３の期間、前記第１の期間、前記第４の期間、及び前記第２の期間を順次有することを特徴とする請求項２３に記載の方法。
【発明の詳細な説明】
【技術分野】
【０００１】
本発明は、２次元（ｔｗｏ−ｄｉｍｅｎｓｉｏｎａｌ：２Ｄ）映像表示領域内に少なくとも１つの３次元映像を表示する方法及び装置に関する。
【背景技術】
【０００２】
物体の立体感は、両眼視差（ｂｉｎｏｃｕｌａｒ  ｄｉｓｐａｒｉｔｙ）とも呼ばれ、視聴者又は観察者が異なる方向で左眼及び右眼の網膜を通してその物体を同時に見て、これを脳により認識する際に得られることができる。したがって、３次元（ｔｈｒｅｅ−ｄｉｍｅｎｓｉｏｎａｌ：以下、「３Ｄ」と称する。）映像を表示するために、観察者の左眼及び右眼は、両眼視差の原理を用いて異なる映像を見ることにより、観察者が３Ｄ映像を認識することができるようにする。
【０００３】
３Ｄ表示技術は、３Ｄ立体映像を見ることができるようにするために視聴者がシャッターメガネのような特殊なメガネを掛けることを要求するステレオスコピック表示（ｓｔｅｒｅｏｓｃｏｐｉｃ  ｄｉｓｐｌａｙ）技術と、視聴者がメガネを掛けることを要求しないオートステレオスコピック表示（ａｕｔｏｓｔｅｒｅｏｓｃｏｐｉｃ  ｄｉｓｐｌａｙ）技術とに分類される。このステレオスコピック表示技術は、右眼液晶及び左眼液晶が所定の期間で交互に光を通過し遮断する液晶シャッターメガネ及びこれらのシャッターメガネのための駆動装置を用いる。したがって、異なる左眼映像及び右眼映像を分離し提供することにより視聴者が関連する立体映像を認識するようにする。
【０００４】
オートステレオスコピック表示技術は、パララックスバリア３Ｄ表示装置及びレンチキュラー３Ｄ表示装置を含む。このパララックスバリア３Ｄ表示装置は、行及び列のマトリックスで配列された画素を有する表示パネルの前に設置された縦格子形状の開口を有するパララックスバリアを含む。このパララックスバリアは、観察者の右眼及び左眼に対する右眼映像と左眼映像とを分離することにより、表示パネルでの異なる右眼映像と左眼映像間の両眼視差を引き起こす。一方、レンチキュラー３Ｄ表示装置又はレンチキュラー装置は、縦格子形状のパララックスバリアの代りに半円筒形レンズの列方向配列を有するレンチキュラーレンズシートと、レンチキュラーレンズシートと対向するフラットな表面化されたプレートと、レンチキュラーレンズシートとフラットな表面化されたプレート間に充填された液晶と、レンチキュラーレンズシート及びフラットな表面化されたプレートの内側上に形成された電極とを含む。このようなレンチキュラー装置は、表示パネルの前に設置され、この表示装置は、電極間に印加される電圧のターンオン／ターンオフにより２Ｄ及び３Ｄ表示モード間でスイッチングする。２Ｄモードにおいて、見る方向で液晶の屈折率は、この液晶物質を横切って印加される電圧があるか否かに基づいてレンチキュラーレンズシートに使用される物質の屈折率と実質的に同一であるようにすることにより、レンチキュラー装置のレンズ作用を除去する。この場合に、レンチキュラー装置は、表示パネルから出てくる光の通路の影響なしに表示パネル上の光透過プレートとして機能する。他方、３Ｄモードにおいて、液晶の屈折率がこの液晶物質を横切って印加される電圧があるか否かによりこの液晶物質の配向に従ってこのレンチキュラーレンズシートに使用される物質の屈折率と異なるので、レンチキュラー装置は、レンズとして機能することができ、これにより、観察者の左眼及び右眼に異なる映像を提供し、観察者が立体映像を認識することができるようにする。
【０００５】
オートステレオスコピック３Ｄ表示装置は、観測者が３Ｄ映像を見ることができる視点が固定されるため、使用可能な複数の視点を有することが重要である。したがって、観察者が複数の視点で３Ｄ映像を見ることができるようにするために、表示装置は、適切な入力データを受信しなければならない。適切な入力データは、中央視点に対する入力映像のシーケンス及びこれに対応する奥行きマップのシーケンスを含む。入力映像に対応する奥行きマップに画素をシフトすることにより、視点の数に対応する出力映像の集合を生成する。出力映像の集合を用いて、オートステレオスコピック３Ｄ映像信号又は合成立体映像信号は、レンチキュラー装置を使用する液晶表示（ＬＣＤ）パネルを駆動するように生成される。複数の視点及び各奥行きデータに基づく画素シフトデータのルックアップテーブルは、メモリに格納され、表示装置は、画素シフトデータに基づいてシフトされた映像データにより３Ｄ映像データを表示する。
【０００６】
しかしながら、３Ｄ映像表示の際に視点の数が増加する場合に、解像度は、視点の数に反比例する。上述した技術により、３Ｄ映像が２Ｄ映像表示領域内に表示され、２Ｄ領域が２Ｄ映像表示領域内に３Ｄ映像表示で処理される場合に、２Ｄ映像を含む全映像のディスプレイの解像度は、視点の数が増加する場合に減少する。したがって、このように減少した解像度は、画質に否定的な影響を及ぼす。
【先行技術文献】
【特許文献】
【０００７】
【特許文献１】米国特許６５２９１７５号明細書
【特許文献２】米国特許６７９１５９９号明細書
【発明の概要】
【発明が解決しようとする課題】
【０００８】
本発明は、上述した課題に鑑みてなされたものであり、ディスプレイの解像度を向上させるために２Ｄ映像表示領域内に少なくとも１つの部分３Ｄ映像を表示する方法を提供することを目的とする。
【０００９】
本発明の他の目的は、ディスプレイの解像度を向上させるために２Ｄ映像表示領域内に少なくとも１つの部分３Ｄ映像を表示すること装置を提供することにある。
【００１０】
本発明のまた他の目的は、ディスプレイの解像度を向上させるために２Ｄ映像表示領域内の３Ｄ映像表示領域を識別する方法を提供することにある。
【００１１】
本発明のさらなる他の目的は、ディスプレイの解像度を向上させるために２Ｄ映像表示領域内の３Ｄ映像表示領域を識別する回路を提供することにある。
【課題を解決するための手段】
【００１２】
本発明の実施形態にに係るオートステレオスコピック表示を行う方法は、２次元入力映像データ及び前記２次元入力映像データに関連する入力奥行きデータを有する入力データに基づいて、第１の視点で表示パネル上で２次元映像表示領域内に位置した少なくとも１つの部分３次元映像領域内の３次元映像のオートステレオスコピック表示を行う方法であって、前記入力奥行きデータのデータ値に基づいて、前記第１の視点とは異なる複数の与えられた視点の中のそれぞれの与えられた視点で前記少なくとも１つの部分３次元映像領域の境界で各３次元シフト映像領域を上記２次元映像表示領域と識別することを特徴とする。
【００１３】
本発明の実施形態に係るオートステレオスコピックディスプレイを行う装置は、２次元入力映像データ及び前記２次元入力映像データに関連する入力奥行きデータを有する入力データに基づいて、第１の視点で表示パネル上で２次元映像表示領域内に位置した少なくとも１つの部分３次元映像領域内の３次元映像のオートステレオスコピック表示を行う装置であって、前記入力奥行きデータのデータ値に基づいて、前記第１の視点とは異なる複数の与えられた視点の中のそれぞれの与えられた視点で前記少なくとも１つの部分３次元映像領域の境界で各３次元シフト映像領域を前記２次元映像表示領域と識別するように構成された３Ｄ領域識別回路を有することを特徴とする。
【００１４】
本発明の実施形態に係る３次元映像を識別する方法は、２次元入力映像データ及び前記２次元入力映像データに関連する入力奥行きデータを有する入力データに基づいて、第１の視点で２次元映像表示領域内に位置した少なくとも１つの部分３次元映像領域内の３次元映像を識別する方法であって、前記第１の視点とは異なる与えられた視点で、前記少なくとも１つの部分３次元映像領域の境界で前記２次元入力映像データと関連する上記入力奥行きデータを基準データと比較することにより３次元シフト映像領域を前記２次元映像表示領域と識別することを特徴とする。
【００１５】
本発明の実施形態に係る３次元映像を識別する装置は、２次元入力映像データ及び前記２次元入力映像データに関連する入力奥行きデータを有する入力データに基づいて、第１の視点で２次元映像表示領域内に位置した少なくとも１つの部分３次元映像領域内の３次元映像を識別する装置であって、前記第１の視点とは異なる与えられた視点で前記少なくとも１つの部分３次元映像領域の境界で前記２次元入力映像データと関連する前記入力奥行きデータを基準データと比較することにより３次元シフト映像領域を前記２次元映像表示領域と識別するように構成された３Ｄ映像識別回路を有することを特徴とする。
【００１６】
本発明の実施形態に係る３次元映像を表示する方法は、映像フレームの第１の期間の間に第１の解像度でインターウィービングされた第１の映像を表示し、前記映像フレームの第２の期間の間に前記第１の解像度とは異なる第２の解像度でインターウィービングされた第２の映像を表示することを特徴とする。
【００１７】
本発明の実施形態に係る３次元映像を表示する方法は、映像フレームの第１の期間の間に第１の映像を表示し、前記映像フレームの第２の期間の間に第２の映像を表示し、前記映像フレームの第３の期間の間に第３の映像を表示し、前記第１の映像及び前記第２の映像は２次元映像であり、前記第３の映像は３次元映像であることを特徴とする。
【００１８】
本発明の実施形態に係る３次元映像を表示する方法は、少なくとも３個の動作モードを用いて表示装置に映像を表示する方法であって、第１の動作モードで、２次元映像レンダリング工程を用いて第１のフレームの間に第１の２次元映像を表示し、第２の動作モードで、３次元映像レンダリング工程を用いて第２のフレームの間に第１の３次元映像を表示し、第３の動作モードで、第３のフレームの第１の期間の間に２次元映像を表示し、前記第３のフレームの第２の期間の間に３次元映像を表示することを特徴とする。
【００１９】
本発明の実施形態に係る３次元映像を表示する方法は、画素を有する表示パネル上に３次元映像を表示する方法であって、２次元映像入力データに従って前記２次元映像を表示する第１の画素を用い、かつ、第２の画素を同一の階調値で設定して、映像フレームの第１の期間の間に２次元映像を表示し、３次元映像入力データに従って前記３次元映像を表示する前記第２の画素を用い、かつ、前記第１の画素を同一の階調値で設定して、前記映像フレームの第２の期間の間に前記３次元映像を表示することを特徴とする。
【発明の効果】
【００２０】
本発明によれば、ディスプレイの解像度を向上させるために２Ｄ映像表示領域内に少なくとも１つの部分３Ｄ映像を表示する方法を提供することができる。
【００２１】
また、本発明によれば、ディスプレイの解像度を向上させるために２Ｄ映像表示領域内に少なくとも１つの部分３Ｄ映像を表示すること装置を提供するができる。
【００２２】
また、本発明によれば、ディスプレイの解像度を向上させるために２Ｄ映像表示領域内の３Ｄ映像表示領域を識別する方法を提供することができる。
【００２３】
さらに、本発明によれば、ディスプレイの解像度を向上させるために２Ｄ映像表示領域内の３Ｄ映像表示領域を識別する回路を提供することができる。
【図面の簡単な説明】
【００２４】
【図１】本発明の一実施形態による駆動部及びディスプレイユニットを示す概略ブロック図である。
【図２】本発明の一実施形態によって用いられる入力映像を示す図である。
【図３】本発明の一実施形態による動作を示す概略タイミング図である。
【図４Ａ】本発明の一実施形態による駆動方法を示す概略フローチャートである。
【図４Ｂ】本発明の一実施形態による駆動方法を示す概略フローチャートである。
【図４Ｃ】本発明の一実施形態による駆動方法を示す概略フローチャートである。
【図４Ｄ】本発明の一実施形態による駆動方法を示す概略フローチャートである。
【図５】奥行きデータに基づいて映像データをシフトする一例を示す概念図である。
【図６Ａ】本発明の実施形態による３Ｄ合計領域を示す図である。
【図６Ｂ】本発明の実施形態による表示パネルに供給される出力映像の一例を示す図である。
【図６Ｃ】本発明の実施形態による表示パネルに供給される出力映像の一例を示す図である。
【発明を実施するための形態】
【００２５】
以下、本発明の実施形態を、添付の図面を参照しつつ詳細に説明する。下記の説明において、本発明の詳細な構成および構成要素のような細部事項は、本発明の実施形態の包括的な理解を助けるために記載される。したがって、本発明の範囲及び趣旨を逸脱することなく、ここに説明された実施形態の様々な変更及び変形が可能であるということは、当該技術分野における通常の知識を有する者には明らかである。また、明瞭性と簡潔性の観点から、当業者に良く知られている機能や構成に関する具体的な説明は、省略する。
【００２６】
図面において、同一の参照符号は、同一の構成要素、特徴、及び構造を示すものであることを理解するであろう。
【００２７】
以下、本発明の一実施形態における２Ｄ映像表示領域内に少なくとも１つの部分３Ｄ映像領域内の３Ｄ映像をオートステレオスコピック表示を行うことができる方法及び装置について詳細に説明する。本発明の実施形態では、様々な数値が開示されているが、このような数値は、単に例示として記載されていることに留意すべきである。したがって、特許請求範囲で定義しない限り、本発明の範囲を限定してはいけない。
【００２８】
図１は、１つの画面上に２Ｄ映像及び２Ｄ映像内の３Ｄ映像のオートステレオスコピック表示を行う装置を示す概略図である。この装置は、ディスプレイユニット１００及び駆動部２００を含む。ディスプレイユニット１００は、液晶表示（ＬＣＤ）パネルのような表示パネル１２０と、表示パネル１２０の後ろに位置したバックライトソース１１０と、表示パネル１２０の前に位置したレンチキュラー装置１３０とを含む。表示パネル１２０は、行及び列のマトリックスで配列された画素（図示せず）を含み、この画素は、ゲート、ソース、及びドレーンがそれぞれ行ライン（又はゲートライン）、列ライン（又はデータライン）、及び画素電極に接続された薄膜トランジスタ（ＴＦＴ）を含む。表示パネル１２０は、行及び列ラインと、薄膜トランジスタと、画素電極とが形成された第１の基板と、画素電極と対向する共通電極を有する第２の基板と、第１の基板及び第２の基板間に充填された液晶と、第１の基板及び第２の基板の両方又は第１の基板及び第２の基板のいずれか１つの外側に位置した偏光板又は複数の偏光板とを含む。表示パネル１２０は、ゲートラインを駆動するためのゲート駆動装置と、データラインを駆動するためのデータ駆動装置とを含む。バックライトソース１１０は、表示パネル１２０の後面で照射光を発生し、画素電極と共通電極間に印加される電圧により発生する液晶の配向の変更、すなわち、液晶の屈折率の変更は、この照射された光の透過を変調することにより映像を発生させる。ここで、「バックライト」ソースと名づけられたが、バックライトソース１１０は、表示パネル１２０に光を照射できるすべてのタイプの光源であってもよい。レンチキュラー装置１３０は、上述したように、表示パネル１２０で２Ｄ表示モード及び３Ｄ表示モード間でスイッチングすることができる。ここで、ディスプレイ部１００をＬＣＤパネル及びレンチキュラー装置として説明したが、本発明の実施形態は、３Ｄ映像を表示することができるすべてのタイプの表示装置に適用される。また、本発明の実施形態は、公知の製造された３Ｄ表示装置及びこれから製造される３Ｄ表示装置の両方で使用される。
【００２９】
本発明の実施形態による駆動部２００は、２Ｄ映像表示領域内に少なくとも１つの部分３Ｄ映像を表現するレンダリング（Ｒｅｎｄｅｒｉｎｇ）装置を含む。
【００３０】
駆動部２００は、受信部２１０と、制御部２２０と、メモリ２３０と、３Ｄ領域識別回路２４０と、２Ｄ映像発生回路２５０と、３Ｄ映像発生回路２６０と、レンチキュラー制御器２７０と、タイミング制御器（ＴＣＯＮ）２８０と、バックライトソース制御器２９０とを含む。受信部２１０は、入力信号をデコーディングし、制御部２２０は、メモリ２３０に格納されたプログラムを実行する。制御部２２０の制御の下で、３Ｄ領域識別回路２４０は、正面視点で見た２Ｄ映像領域内に部分３Ｄ映像を示す２Ｄ入力映像データとこれに関連した入力奥行きデータから与えられた複数の視点の各視点に対して各３Ｄシフト映像領域を発生する。２Ｄ映像発生回路２５０は、各視点に対して各３Ｄシフト映像領域外部の各２Ｄ映像領域に存在する２Ｄ映像の画素データが発生し、各３Ｄシフト映像領域内の画素に階調値を割り当てる。この割り当てられた階調値は、黒色階調値、白色階調値、又は他の任意の選択された階調値であってもよい。３Ｄ映像発生回路２６０は、３Ｄシフト映像領域内のデータのこの入力奥行きデータに基づいて各３Ｄシフト映像領域内の３Ｄ映像の画素データを発生し、この各３Ｄシフト映像領域外部の各２Ｄ映像領域内の画素に階調値を割り当てる。この割り当てられた階調値は、黒色階調値、白色階調値、又は他の任意の選択された階調値であってもよい。タイミング制御器（ＴＣＯＮ）２８０は、この２Ｄ入力映像データ及びこれに対応する入力奥行きデータの１つのフレーム期間よりさらに短い２つの期間のそれぞれで各視点に対して２Ｄ映像発生回路２５０及び３Ｄ映像発生回路２６０から発生した映像データに基づいて表示パネル１２０が映像を表示することようにタイミング情報を提供する。バックライトソース制御器２９０は、この２つの期間でバックライトソース１１０が照射光を照射するように制御する。レンチキュラー制御器２７０は、この２つの期間の中の第２の期間で３Ｄ映像を発生するようにレンチキュラー装置１３０に電源を供給する。ここで、３Ｄ領域識別回路２４０、２Ｄ映像発生回路２５０、及び３Ｄ映像発生回路２６０は、例えば、フィールドプログラマブルゲートアレイ（Ｆｉｅｌｄ−Ｐｒｏｇｒａｍｍａｂｌｅ  Ｇａｔｅ  Ａｒｒａｙ：ＦＰＧＡ）又は特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ：ＡＳＩＣ）を用いて実現される。
【００３１】
受信部２１０によりデコーディングされた入力映像信号列は、制御部２２０の制御の下でメモリ２３０に格納される。例えば、受信部２１０は、デジタルモデムを含み、制御部２２０は、例えば、マイクロプロセッサ又は中央処理装置である。
【００３２】
受信部２１０によりデコーディングされた映像信号データは、図２に示すデータである。
【００３３】
図２は、フル高精細度（Ｆｕｌｌ  Ｈｉｇｈ  Ｄｅｆｉｎｉｔｉｏｎ：ＦＨＤ）、すなわち、１９２０×１０８０ピクセルの高解像度を有する映像データを示す概略図である。ラインＬ１及びラインＬ２は、１０８０個の行及び１９２０個の列を４等分する。左側上部領域ＬＵ、右側上部領域ＲＵ、左側下部領域ＬＬ、及び右側下部領域ＲＬは、それぞれ９４０×５４０の解像度を有する。左側上部領域ＬＵ及び左側下部領域ＬＬは、カラー情報を示し、右側上部領域ＲＵ及び右側下部領域ＲＬは、奥行き情報を示す。このカラー情報は、カラー映像を表示するために用いられる情報である。例えば、カラー赤色（Ｒ）、緑色（Ｇ）、及び青色（Ｂ）は、映像を表示するために用いられる。左側上部領域ＬＵ及び右側上部領域ＲＵは、正面で見た映像に関するカラー情報及び奥行き情報をそれぞれ示し、左側下部領域ＬＬ及び右側下部領域ＲＬは、背面で見た映像に関するカラー情報及び奥行き情報をそれぞれ示す。言い換えれば、左側上部領域ＬＵ及び右側上部領域ＲＵは、前景（ｆｏｒｅｇｒｏｕｎｄ）情報を示し、左側下部領域ＬＬ及び右側下部領域ＲＬは、背景（ｂａｃｋｇｒｏｕｎｄ）情報を示す。また、左側上部領域ＬＵの画素は、中央視点、例えば、画面前の９個の視点の中で５番目の視点で見た２Ｄ入力映像データを示し、右側上部領域ＲＵの画素は、左側上部領域ＬＵ内の２Ｄ入力映像データに対応する奥行きデータを示す。同様に、左側下部領域ＬＬは、右側上部領域ＬＵで２Ｄ入力映像の背面映像データ、すなわち、入力背景映像データを示し、右側下部領域ＲＬは、左側下部領域ＬＬで入力背景映像データの奥行きデータを示す。ここで、このデコーディングされた映像信号は、左側上部領域ＬＵ、右側上部領域ＲＵ、左側下部領域ＬＬ、及び右側下部領域ＲＬに関する情報を含むものと説明したが、他の代案も可能である。例えば、このデコーディングされた情報は、左側上部領域ＬＵ及び右側上部領域ＲＵに関する情報だけを含み、左側下部領域ＬＬ及び右側下部領域ＲＬに関する情報は、左側上部領域ＬＵ及び右側上部領域ＲＵに関する情報を用いて計算してもよい。
【００３４】
図２に示すように、左側上部領域ＬＵは、２Ｄ入力映像領域２０４内にある部分３Ｄ入力領域２０２を有し、右側上部領域ＲＵは、部分３Ｄ入力領域２０２に対応する部分３Ｄ入力奥行きデータ領域２０６を有する。左側上部領域ＬＵ内の画素は、右側上部領域ＲＵ内の画素と１：１の対応関係を有し、左側下部領域ＬＬ内の画素は、右側下部領域ＲＬ内の画素と１:１の対応関係を有する。すなわち、左側上部領域ＬＵ内のｉ番目の行及びｊ番目の列にある画素は、右側上部領域ＲＵ、左側下部領域ＬＬ、及び右側下部領域ＲＬのそれぞれでｉ番目の行及びｊ番目の列にある画素に対応する。したがって、同一の行及び列にある画素から色情報、奥行き情報、背景カラー情報、及び背景奥行き情報を取得することができる。
【００３５】
２Ｄ入力映像領域２０４に位置した部分３Ｄ入力領域２０２内の部分３Ｄ入力映像のオートステレオスコピック表示を行うために、複数の視点の各視点で部分３Ｄ入力映像の境界上の画素の奥行き値の変化を検出しなければならず、移動されない２Ｄ領域は、その検出によりシフトされる画素により移動された３Ｄ領域と識別されなければならない。
【００３６】
奥行き値は、階調値を用いて表現される。階調値又は奥行き値を用いて各視点で決定される画素シフトデータは、上述するとともに、参考として米国特許出願公開第２０１０／０００７６６１号明細書に開示されている。本発明の実施形態に対する理解を助けるために、ここでは、米国特許出願公開第２０１０／０００７６６１号明細書の図５を、奥行きデータに基づいて映像データをシフトする一例を示す概念図として、図５に示す。
【００３７】
図５を参照すると、９個の視点が画面の前に位置する。カラーディスプレイの場合、各画素は、赤色（Ｒ）、緑色（Ｇ）、及び青色（Ｂ）の副画素を含む。各画素、すなわち、各副画素は、８ビットのデータを有すると仮定する。各画素は、２８＝２５６個の階調値を有する。画面の階調値、すなわち、基準値が１２８であると仮定すると、画面の前で見られる画素の階調値は、１２９から２５６の階調値を有し、画面の後ろで見られる画素の階調値は、１から１２７の階調値を有するであろう。画面の表面に垂直であり、中央視点５の方向で高さｈを有するＡ点が最も高い点である場合、すなわち、Ａ点が最大高さの点である場合に、Ａ点の階調値は、２５６である。このように、最大高さ値が与えられる場合に、最大高さ以下の高さに対する階調値、すなわち、奥行き値が決定される。ここで、最も低い高さは、１の階調値を有する。したがって、最も高い高さ及び最も低い高さが与えられる場合に、高さの階調値が決定される。Ａ点の高さｈが与えられる場合に、その階調値は、決定される。画素シフトデータは、Ａ点に対する各視点に対して計算される。Ａ点が１番目の視点１で見られる際に、画面上でＡ点からＡ”点への画素シフトデータ（ｘ）は、画素単位で下記の数式（１）で表現される。
【００３８】
（数式１）
画素シフトデータ（ｘ）＝（ｈ×Ｄ）／｛ｑ×（Ｈ−ｈ）｝・・・（１）
【００３９】
ここで、Ｈは、１番目の視点１から画面までの垂直距離を示し、ｈは、Ａ点の高さを示し、Ｄは、中央視点ラインから１番目の視点ｌまでの最短距離を示し、ｑは、副画素の幅を示す。高さ値ｈが与えられる場合に、その階調値、すなわち奥行き値が決定され、各視点での画素シフトデータは、数式（１）を用いて計算される。したがって、階調値、すなわち、奥行き値が与えられる場合に、９個の視点の各々に対する奥行き値の画素シフトデータが計算され、２５６個の階調値及び９個の視点に対する画素シフトデータを含むルックアップテーブルが作成され、メモリ２３０に格納される。各視点に対する画素シフトデータは、数式（１）を用いて計算されるか、又はルックアップテーブルを参照することにより決定される。
【００４０】
本発明の実施形態の説明において、画面の基準（ｒｅｆｅｒｅｎｃｅ）階調値が１２８であると仮定したが、他の基準値は、設計に従って画面の階調値、すなわち、基準奥行き値として選択される。
【００４１】
図３は、図２に示すような映像データを用いて映像を表示する本発明の実施形態による動作タイミング図を示す。図２に示す入力映像がＦＨＤ解像度、すなわち、１９２０×１０８０の解像度を有するため、１０８０個の水平サイクルの中で各水平サイクル１Ｈに１９２０個の画素データを有するデータイネーブル信号ＤＥとして提供される。データイネーブル信号ＤＥとともに、垂直同期信号ＶＳは、垂直同期信号情報に基づいて作成され、１つのフレーム１Ｆ内の１０８０個の水平サイクルを有するデータイネーブル信号ＤＥは、入力イネーブル信号から生成される。１つのフレーム内の入力映像データ、すなわち、図２に示し、１つのフレーム内に存在する入力映像データは、メモリ２３０に格納される。したがって、図３に示す現在のフレーム３００の前のフレームでメモリ２３０に格納された入力映像データは、現在のフレーム３００でその出力映像を発生する。すなわち、期間Ｔ１において、前のフレーム内の入力映像データに対して黒色階調値を割り当てた出力映像を出力する。したがって、この出力映像は、前のフレームで提供された入力映像データを有する全画素の画素データ値が黒色階調値を有するように液晶表示パネル１２０に提供される。言い換えれば、黒色映像は、期間Ｔ１で発生する。バックライトソース１１０及びレンチキュラー装置１３０は、すべて期間Ｔ１でオフされる。
【００４２】
期間Ｔ２において、すべての視点に対する識別された部分３Ｄシフト領域の合計に対応する３Ｄ合計領域内の画素の画素値は、階調値の割り当てを受ける。この割り当てを受けた階調値は、黒色階調値、白色階調値、又は他の任意の選択された階調値である。残りの２Ｄ映像は、図２の左側上部領域ＬＵ内の入力映像データに基づいて３Ｄ合計領域外部の２Ｄ領域で発生する。あるいは、左側下部領域ＬＬ内の入力映像データも用いられる。割り当てられた階調値を有する３Ｄ合計領域及び残りの２Ｄ映像を有する２Ｄ合計映像信号を発生させ、期間Ｔ２で２Ｄ合計映像信号を液晶表示パネル１２０に供給する。バックライトソース１１０は、Ｔ２期間でオンとなる。他方、レンチキュラー装置１３０は、オフとなる。図６Ａは、本発明の一実施形態による３Ｄ合計領域を示し、図６Ｂは、本発明の一実施形態による表示パネルに提供される出力映像の一例を示す。図６Ａに示す例において、９個の視点の場合、３Ｄ合計領域６００は、９個の識別された部分３Ｄシフト領域の領域を含む。この９個の識別された部分３Ｄシフト領域は、点線の楕円を用いて図示される。図６Ｂは、図２の入力映像データを用いてＴ２期間に２Ｄ映像を表示する際に、割り当てられた階調値を有する３Ｄ合計領域６００及び残りの２Ｄ映像領域６２５を含み、２Ｄ映像が表示される出力映像６２０の一例を示す。
【００４３】
期間Ｔ３において、期間Ｔ１と同一の方式で、出力映像は、前のフレームで提供された入力映像データを有する全画素の画素データ値が黒色階調値を有するように液晶表示パネル１２０に提供される。したがって、期間Ｔ１のように、黒色映像は、期間Ｔ３で発生する。レンチキュラー装置１３０及びバックライトソース１１０の両方は、期間Ｔ３でオフとなる。
【００４４】
期間Ｔ４において、３Ｄ映像は、各視点に対して部分３Ｄ映像領域に対応する入力奥行きデータに基づいて各３Ｄシフト映像領域で発生し、各３Ｄシフト映像領域外部の残りの２Ｄ映像領域内の画素は、階調値の割り当てを受ける。この割り当てを受けた階調値は、黒色階調値、白色階調値、又は他の任意の選択された階調値である。各視点に対する３Ｄ映像を有する各３Ｄシフト映像領域及び割り当てられた階調値を有する残りの２Ｄ映像領域を有する各３Ｄ合計映像が生成される。９個の視点に対応する９個の３Ｄ合計映像の各解像度が液晶表示パネル１２０の解像度と一致するように各３Ｄ合計映像のインターウィービング（ｉｎｔｅｒｗｅａｖｉｎｇ）及びスケーリング（ｓｃａｌｉｎｇ）を行うことにより得られた合成３Ｄ映像信号は、液晶表示パネル１２０に提供される。この期間において、レンチキュラー装置１３０及びバックライトソース１１０の両方は、オンとなり、さらに高い電圧は、期間Ｔ２で照射光よりさらに明るい照射光を放射するようにバックライトソース１１０に印加される。図６Ｃは、本発明の一実施形態による表示パネルに提供される出力映像の一例を示す。図６Ｃに示す例において、出力映像６４０は、図２の入力映像データを用いて期間Ｔ４で３Ｄ映像を表示する際に、３Ｄ映像が表示される３Ｄ合計領域６００と、割り当てられた階調値を有する２Ｄ映像が表示される残りの２Ｄ映像領域６２５とを含む。
【００４５】
したがって、期間Ｔ１、Ｔ２、Ｔ３、及びＴ４の各々が１フレーム期間の１／４であると仮定すると、液晶表示パネル１２０及びレンチキュラー装置１３０で用いられる液晶は、高速で応答する液晶を用いる必要はない。例えば、製品コード名がＭＡＴ−１０−２３８であるＭｅｒｃｋ社のネマチック液晶がこれらの液晶として用いられる。期間Ｔ１、Ｔ２、Ｔ３、及びＴ４の各々が１フレーム期間の１／４として図示したが、当業者は、期間Ｔ１及びＴ４で黒色映像を表示する際に、ＬＣＤパネルの動作特性のために、実際には、黒色映像は、期間Ｔ２及びＴ４で表示される映像よりさらに短い期間の間に表示されることを理解するであろう。その結果、図３は、各期間Ｔ１、Ｔ２、Ｔ３、及びＴ４で表示される各映像が同一の時間の間にかならず表示される必要はない。
【００４６】
上述したように、黒色映像は、バックライトソース１１０をターンオフすることにより期間Ｔ１及びＴ３で生成される。当業者が理解することができるように、これらの期間で他の選択も可能である。例えば、バックライトソース１１０は、オンとなり、黒色階調値は、すべての画素に提供される。あるいは、バックライトソース１１０がオンとなっている間に、黒色値以外の階調値は、すべての画素に提供される。
【００４７】
図４Ａ、図４Ｂ、図４Ｃ、及び図４Ｄは、本発明の実施形態による概略フローチャートを示す。
【００４８】
図４Ａを参照すると、ステップ４０２は、開始工程である。ステップ４０４で、ｎが「０」に設定されるように初期化が行われる。ステップ４０６で、ｎは、「１」に設定される。ステップ４０８で、フレームＦ１、すなわち、１番目のフレーム内の入力映像データは、メモリ２０３に格納される。言い換えれば、図２に示すように、１番目のフレームに存在し、９６０×５４０の解像度を有する左側上部領域ＬＵに存在する２Ｄ入力映像（又は画素）データと、同一の解像度を有する右側上部領域ＲＵに存在し、２Ｄ入力映像（又は画素）データに対応する入力奥行きデータと、同一の解像度を有する左側下部領域ＬＬに存在し、２Ｄ入力映像（又は画素）データに対応する入力背景データと、同一の解像度を有する右側下部領域ＲＬに存在し、入力背景データに対応する入力背景奥行きデータとは、メモリ２０３に格納される。
【００４９】
ステップ４１０で、ヘッダーは、メモリ２３０に格納された入力映像データから読み出される。このヘッダーは、入力映像データが３Ｄ映像、２Ｄ映像、又は部分３Ｄ映像を示すデータであるか否かを判定することができる情報を提供する。このヘッダーは、９６０×５４０の解像度の１番目の行に配列された画素のデータから読み出される。各行に配列された画素は、上述したように、Ｒ、Ｇ、及びＢの副画素を含み、各画素が８ビットのデータを有するために、このヘッダーは、適切な画素又は画素の最上位ビット（ＭＳＢ）のビット値により定義される。
【００５０】
ステップ４１２で、この読み出されたヘッダーが３Ｄ映像を示すか否かを判定する。３Ｄ映像でない場合に、ステップ４１４及びステップ４１５で示すように、フレームＦ１内の入力映像データが２Ｄ映像を示すために、２Ｄ出力映像は、２Ｄ映像を発生するために用いられる適切な方法に従って左側上部領域ＬＵ内の２Ｄ入力映像データから発生される。連続するフレームにおいて、２Ｄ出力映像は、ステップ４０６乃至ステップ４１５の反復により発生される。この読み出されたヘッダーが３Ｄ映像を示すが、部分３Ｄ映像を示さない場合、３Ｄ出力映像は、ステップ４１８及びステップ４１９で、２Ｄ入力映像データ及びこれに関連する奥行きデータで、例えば、上述したように、米国特許出願公開第２００９／０１１５７８０号明細書に開示されているような適切な方法により発生される。その後に、連続するフレームで、３Ｄ出力映像は、ステップ４０６乃至ステップ４１２及びステップ４１６乃至ステップ４１９の反復により発生される。ステップ４１６で、この読み出されたヘッダーが部分３Ｄ映像を示す場合に、ステップ４２０が行われる。
【００５１】
ステップ４２０及びステップ４２０の次のステップは、本発明の実施形態による３Ｄ映像領域を２Ｄ映像領域内に有する場合に行われる。ステップ４２０は、本発明の実施形態による部分３Ｄシフト映像領域と部分３Ｄシフト映像領域の外側の残りの２Ｄ映像領域とを識別する。９個の視点があり、入力映像データについて、図２に示すように２Ｄ入力映像（又は画素）データが２Ｄ入力映像領域２０４内に部分３Ｄ入力領域２０２を有すると仮定する。この場合に、２Ｄ入力映像領域２０４内の部分３Ｄ入力領域２０２の外側の残りの領域内の画素データに対応する第１の領域２０６での入力奥行きデータは、この残りの領域が２Ｄ映像を有するために、上述したように、１２８の基準値を有する。しかしながら、部分３Ｄ入力領域２０２内の部分３Ｄ入力映像が３Ｄ映像を有するために、部分３Ｄ入力領域２０２に対応する第２の領域２０８での入力奥行きデータは、基準値でない値を有する。したがって、部分３Ｄ入力領域２０２の境界に対応する第２の領域２０８の境界の付近に存在する画素の奥行き値が１２８の基準値と比較され、３Ｄ映像を示す１２８でない他の奥行き値を有する場合に、９個の視点のそれぞれに対する部分３Ｄ入力領域２０２のシフトは、メモリ２３０内に格納されたルックアップテーブルを参照して他の奥行き値により決定され、部分３Ｄ入力領域２０２は、各視点に対して、シフトされた部分３Ｄ入力領域により２Ｄ領域と識別される。すなわち、部分３Ｄ入力領域２０２の境界は、領域ＲＵ内の各ラインを順次スキャンする間に基準値でない奥行きデータ値を有する開始点及び終了点を検出することにより決定される。各視点に対する各部分３Ｄシフト領域は、数式（１）に従って境界を示す開始点及び終了点の奥行きデータ値を計算するか、又はメモリ２３０に格納されたルックアップテーブルを参照することにより２Ｄ領域と識別される。言い換えれば、部分３Ｄ入力領域２０２のエッジで、画素の奥行きデータは、基準値と比較され、エッジで各視点に対する部分３Ｄシフト領域は、基準値以外の奥行きデータに基づいて２Ｄ領域と識別される。図２は、説明の便宜のために、左側上部領域ＬＵに単一の部分３Ｄ入力領域２０２を示す。複数の部分３Ｄ入力領域が右側上部領域ＬＵに存在することは明白である。
【００５２】
図４Ｄは、ステップ４２０の概略的サブルーチンを示す。ステップ５０２で、２Ｄ入力映像データに対応する入力奥行きデータは、図２の右側上部領域ＲＵ内の行ラインを順次スキャンすることにより読み出される。ステップ５０４で、この読み出された奥行きデータの値が基準値であるか否かを判定する。この読み出された奥行きデータの値がこの基準値である場合、次の入力奥行きデータが読み出され、この読み出された入力奥行きデータがこの基準値と比較される。これは、この入力奥行きデータ値がこの基準値でないときまで継続して行われる。この読み出された奥行きデータ値が基準値でない場合に、ステップ５０６で、この値及び画素位置が記憶される。その後に、ステップ５０８で、次の入力奥行きデータが読み出され、ステップ５１０で、この読み出された奥行きデータがこの基準値と比較される。この読み出された奥行きデータ値がこの基準値でない場合、この次の入力奥行きデータが読み出され、この基準値と比較される。ステップ５０４乃至ステップ５１０の結果として行ラインをスキャンすることにより検出され、基準値でない開始及び最後の奥行きデータ値の集合は、部分３Ｄ入力領域の境界又はエッジとなる。この境界又はエッジで奥行きデータ値及びこれらの位置又は基準値でない奥行きデータ値を有する領域に関する情報は、メモリ２３０に記憶される。ステップ５１２で、この境界又はエッジで、各視点での画素シフト値は、この奥行きデータ値及び数式（１）を用いて計算されるか又はメモリ２３０に格納されたルックアップテーブルを参照することにより決定される。ステップ５０２乃至ステップ５１２は、各行の最後の画素が読み出され、右側上部領域ＲＵの最後の行がスキャンされるまで繰り返される。ステップ５１４で、最後の行がスキャンされたものと判定される場合、２Ｄ映像表示領域内の少なくとも１つの３Ｄ映像表示領域を識別する工程が完了する。上述したように、右側上部領域ＲＵの各行をスキャンした後に、ステップ５１２で、各視点での画素シフト値が決定される。あるいは、画素シフト値を決定する前に右側上部領域ＲＵのすべての行がスキャンされる。
【００５３】
図４Ｂに戻ると、図３に示すタイミング図が実行される。ステップ４２２で、現在の期間が期間Ｔ１である場合に、出力映像は、前のフレームＦ１内の映像データが黒色階調値を有するようにステップ４２４で発生される。ステップ４２６で、黒色階調値を有する出力映像の発生が前のフレームＦ１内のすべての映像データに対して行なわれたか否かを判定する。そうだとしたら、ステップ４２８で、フレームＦ１内のすべての映像データに対する黒色表示信号は、期間Ｔ１内で液晶表示パネル１２０に提供される。
【００５４】
ステップ４３０で、期間Ｔ１の経過の後に開始される期間Ｔ２に到達したか否かを確認し、期間Ｔ２に到達した場合に、ステップ４３２で、すべての視点に対する識別された部分３Ｄシフト領域の合計に対応する３Ｄ合計領域内の画素の画素値は、白色階調値又は黒色階調値のような任意の階調値の割り当てを受ける。ステップ４３４で、残りの２Ｄ映像は、左側下部領域ＬＬ内の背景２Ｄ入力映像データ及び／又は右側上部領域ＬＵ内の２Ｄ入力映像データに基づいて３Ｄ合計領域の外の２Ｄ領域で発生される。ステップ４３６で、この割り当てられた階調値を有する３Ｄ合計領域及び残りの２Ｄ映像を有する２Ｄ合計映像信号が発生され、２Ｄ合計映像信号は、液晶表示パネル１２０に提供される。期間Ｔ２において、バックライトソース１１０は、オンとなり、２Ｄ映像だけが表示されるためにレンチキュラー装置１３０は、オフとなる。
【００５５】
期間Ｔ２の経過の後の期間Ｔ３において、ステップ４４０乃至ステップ４４４が行われる。ステップ４４０乃至ステップ４４４は、期間Ｔ１で行われるステップ４２４乃至ステップ４２８の動作と同一である。したがって、期間Ｔ３において、すべての画素がフレームＦ１で黒色階調値を有し得るように表示信号が発生され、期間Ｔ３及び期間Ｔ１において、液晶表示パネル１２０は、黒色映像を表示する。
【００５６】
期間Ｔ３の経過の後の期間Ｔ４において、ステップ４４６の判断工程によりステップ４４８乃至ステップ４５２が行われる。ステップ４４８で、３Ｄ映像は、各視点に対して部分３Ｄ映像領域に対応する入力奥行きデータに基づいて各３Ｄシフト映像領域で生成される。ステップ４５０で、階調値は、各視点に対して各３Ｄシフト映像領域の外の残りの２Ｄ映像領域内の画素に割り当てられる。ステップ４５２で、各視点に対して３Ｄ映像を有する各３Ｄシフト映像領域及びこの割り当てられた階調値を有する残りの２Ｄ映像領域を有する各３Ｄ合計映像が発生される。したがって、９個の視点に対する９個の３Ｄ合計映像の各々は、上述したように、９６０×５４０の解像度を有する。各３Ｄ合計映像は、１９２０×１０８０の解像度を有するように規格化され、オートステレオスコピック映像となるように９個の規格化された３Ｄ合計映像をマッピングすることにより発生される画素の配列により生成された合成３Ｄ映像は、ステップ４５４で液晶表示パネル１２０に提供される。フレームＦ１のデータ処理が終了された後に、ステップ４０６で、次のフレームＦ２の同一のデータ処理が行われる。
【００５７】
上述した部分３Ｄ映像のオートステレオスコピック表示を行う方法は、プロセッサによるプログラムにより実行される。
【００５８】
図２に示す入力映像がオートステレオスコピック表示を行う際に、２Ｄ領域及び３Ｄ領域は、相互に識別され、２Ｄ領域の解像度は、図２の左側下部領域ＬＵを４倍に拡大するために一般解像度の１／４を有する。しかしながら、２Ｄ領域及び３Ｄ領域が従来技術に従って３Ｄ映像表示のためにともに処理される場合、この解像度が全画面に表示される間に視点数に反比例し、視点数が増加する場合に、従来技術による解像度は、２Ｄ領域が２Ｄ映像を生成するように識別される場合に比べて減少する。
【００５９】
以上、本発明を具体的な実施形態を参照して詳細に説明してきたが、本発明の範囲及び精神を逸脱することなく様々な変形が可能であるということは、当該技術分野における通常の知識を持つ者には明らかであり、本発明の範囲は、上述の実施形態に限定されるべきではなく、特許請求の範囲の記載及びこれと均等なものの範囲内で定められるべきである。
【符号の説明】
【００６０】
１００：ディスプレイユニット、２００：駆動部、１１０：バックライトソース、１２０：液晶表示パネル、１３０：レンチキュラー装置、２１０：受信部、２２０：制御部、２３０：メモリ、２４０：３Ｄ領域識別回路、２５０：２Ｄ映像発生回路、２６０：３Ｄ映像発生回路、２７０：レンチキュラー制御器、２８０：タイミング制御器（ＴＣＯＮ）、２９０：バックライトソース制御器、Ｌ１，Ｌ２：ライン、２０２：部分３Ｄ入力領域、２０４：２Ｄ入力映像領域、２０６：３Ｄ入力奥行きデータ領域、２０８：第２の領域。
【図１】
2012161067.tif 000003
【図２】
2012161067.tif 000004
【図３】
2012161067.tif 000005
【図４Ａ】
2012161067.tif 000006
【図４Ｂ】
2012161067.tif 000007
【図４Ｃ】
2012161067.tif 000008
【図４Ｄ】
2012161067.tif 000009
【図５】
2012161067.tif 000010
【図６Ａ】
2012161067.tif 000011
【図６Ｂ】
2012161067.tif 000012
【図６Ｃ】
2012161067.tif 000013